(57)【要約】【課題】デスクサイドタイプのシュレッダにおいて、圧縮機能を省き、簡単な構造でならし範囲の広いならし装置を提案する。【解決手段】ならし装置を、筐体の中段に細断屑収容箱の開口に臨んで取り付ける基台と、基台に設けた落下口に臨んで取り付けるモータベースを介して駆動軸を垂下して取り付ける駆動モータと、その駆動軸に取り付ける水平のクランク機構と、このクランク機構によって、ベースアングルを中心に一定範囲で水平に往復運動可能とした平行リンク機構と、平行リンク機構の先端に取り付け、その往復運動の方向に細断屑をならすならし具で構成した。ならし具は、ベース基板の一端に、ならしプレート面が往復運動の方向と直交するようにならしプレートを垂下して取り付け、その下端縁に、上記往復運動の方向に水平に広がるようにならし環を設け、ならし環は、棒材を円形に折曲して形成した。【選択図】図１
2010000461.tif 000002
【特許請求の範囲】
【請求項１】
シュレッダの筐体の中段に細断屑収容箱の開口に臨んで取り付ける基台と、この基台に設けた落下口に臨んで取り付けるモータベースを介して駆動軸を垂下して取り付ける駆動モータと、この駆動モータの駆動軸に取り付ける水平のクランク機構と、このクランク機構によって、筐体に取り付けたベースアングルを中心に一定範囲で水平に往復運動可能とした平行リンク機構と、この平行リンク機構の先端に取り付け、その往復運動の方向に細断屑を散らしてならす細断屑のならし具とからなることを特徴とするシュレッダの細断屑ならし装置。
【請求項２】
駆動モータは、モータベースの水平面にモータ取付金具を介して取り付け、その駆動軸がモータベースの下面から垂下して突出したものである請求項１記載のシュレッダの細断屑ならし装置。
【請求項３】
クランク機構は、前記駆動モータの駆動軸にカム支持具を取り付け、このカム支持具に水平に延びる略長方形板材からなるモータカムを固定し、このモータカムの先端に同じく水平に延びる略長方形板材からなるリンクアームを回転自在に取り付けて構成してなり、このリンクアームの先端を平行リンク機構に取り付けるものである請求項１または請求項２記載のシュレッダの細断屑ならし装置。
【請求項４】
平行リンク機構は、筐体に取り付けるベースアングルにアームとロッドのそれぞれの一端を一定距離を置いて平行にかつ回転自在に水平に延びるように取り付けると共に、アームとロッドの他端はならし具のベース基板に一定距離を置いて回転自在に取付けて構成してなり、上記クランク機構のリンクアームの先端を前記アームの中間部に回転自在に取り付けて、上記クランク機構によって、前記ベースアングルを中心に一定範囲で水平に往復運動可能としたものである請求項１から請求項３のいずれか１項記載のシュレッダの細断屑ならし装置。
【請求項５】
ならし具は、上記平行リンク機構の先端となるベース基板の一端に、ならしプレート面が上記往復運動の方向と直交するように所定長さのならしプレートを垂下して取り付け、さらにこのならしプレートの下端縁に、上記往復運動の方向に水平に広がるようにならし環を設けたものである請求項１から請求項４のいずれか１項記載のシュレッダの細断屑ならし装置。
【請求項６】
ならし環は、棒材を、円形で上記往復運動の方向に水平に広がるように折曲して形成したものである請求項５記載のシュレッダの細断屑ならし装置。
【発明の詳細な説明】
【技術分野】
【０００１】
この発明は、シュレッダの細断屑収容箱に落下、収容された細断屑の山を均等にならして、収容箱に収容される細断屑の量を増加させようとする細断屑のならし装置に関するもので、特にデスクサイドタイプと呼ばれる細長形状のシュレッダに適用するならし装置である。
【背景技術】
【０００２】
従来、オフィス等で使用されるシュレッダには、その用途に応じて種々の大きさのものがあるが、オフィスにおける個人使用向けで、事務机のそばに置いて使用するデスクサイドタイプと呼ばれるシュレッダがある。このデスクサイドタイプのシュレッダは、その使用目的から、その平面形状が投入口に沿って細長い形状をしている。そのため、細断屑の収容量はそれほど多くはないが、構造が簡単であるため、比較的安価に提供できる。
【０００３】
ところで、一般に、シュレッダによって細断された細断屑は、細断部の下方に設置された細断屑収容箱に落下、収容される。この細断屑収容箱が満杯になると、満杯検知センサが満杯を検知して細断部の細断動作を停止するようになっている。そして、細断動作停止後に作業者が扉を開けて、満杯の収容箱を取り出し、細断屑を廃棄している。
【０００４】
細断屑は、もとの紙束の容積と比較すると格段に容積が増大するので、細断屑収容箱がすぐに満杯となり、細断屑の取り出しや廃棄作業が頻繁に発生する。また、シュレッダーの機構上、細断機構が所定の位置に固定されているため、細断屑は同じ位置に落下し続けるので、一ヶ所のみに細断屑の山ができ、収容箱にまだ余裕があるにも拘わらず満杯検知センサーが作動し、細断動作が停止されていた。
【０００５】
そのため、従来、シュレッダの細断屑収容箱の上方に細断屑のならし装置が設けられ、細断屑の山を均等にならして、上記センサーの作動を遅らせていた。この種のならし装置としては、例えば本出願人が先に提案した、特許文献１に記載の、ローラーユニットを回転させるものがある。また、特許文献２に開示されているように、揺動板を前後または左右方向に揺動させて細断屑の山をならす、スイング型も提案されている。
【０００６】
【特許文献１】特開２００４−８９６５号公報
【特許文献２】実開昭６１−１３９７３９号公報
【発明の開示】
【発明が解決しようとする課題】
【０００７】
しかしながら、上記デスクサイドタイプのシュレッダは、その内部の細断屑収納箱も細長い形状を有している。そのため、上記特許文献１に記載の細断屑ならし装置は、そのままでは適用が難しい。即ち、このローラーが回転するタイプのものは、モーター軸に取り付けたユニット芯に放射状にローラーを取り付けるものであったから、ローラーの回転半径を広くとる必要があり、細長形状の収容箱では、均一にならすことが困難であった。
【０００８】
また、揺動板が揺動するスイング型のならし装置も提案されているが、スイング幅を小さくすると収納箱の両端部をならすことができないし、スイング幅を大きくすると、揺動板の最下点が低くなり、中央部がへこんだ状態になり、細断屑の収容量が少なくなってしまう問題がある。
【０００９】
また、これらのならし装置では、ならし作用の他、細断屑の圧縮機能も併有させたものが多く、構造が複雑となり、組み立て作業に手間がかかるので、デスクサイドタイプのシュレッダに採用するのはコスト高となるものであった。
【００１０】
本発明は、かかる現状に鑑み、圧縮機能を省くと共に、比較的簡単な構造で、ならし範囲を広くしたならし装置を提案するものである。
【課題を解決するための手段】
【００１１】
上述した課題を解決するため本発明は、シュレッダの細断屑ならし装置として、シュレッダの筐体の中段に細断屑収容箱の開口に臨んで取り付ける基台と、この基台に設けた落下口に臨んで取り付けるモータベースを介して駆動軸を垂下して取り付ける駆動モータと、この駆動モータの駆動軸に取り付ける水平のクランク機構と、このクランク機構によって、筐体に取り付けたベースアングルを中心に一定範囲で水平に往復運動可能とした平行リンク機構と、この平行リンク機構の先端に取り付け、その往復運動の方向に細断屑を散らしてならす細断屑のならし具で構成するという手段を採用した。
【００１２】
そして、上記駆動モータは、モータベースの水平面にモータ取付金具を介して取り付け、その駆動軸がモータベースの下面から垂下して突出したものとした。
【００１３】
また、上記クランク機構は、前記駆動モータの駆動軸にカム支持具を取り付け、このカム支持具に水平に延びる略長方形板材からなるモータカムを固定し、このモータカムの先端に同じく水平に延びる略長方形板材からなるリンクアームを回転自在に取り付けて構成してなり、このリンクアームの先端を平行リンク機構に取り付けるものとするという手段を採用した。
【００１４】
また、上記平行リンク機構は、筐体に取り付けるベースアングルにアームとロッドのそれぞれの一端を一定距離を置いて平行にかつ回転自在に水平に延びるように取り付けると共に、アームとロッドの他端はならし具のベース基板に一定距離を置いて回転自在に取付けて構成してなり、上記クランク機構のリンクアームの先端を前記アームの中間部に回転自在に取り付けて、上記クランク機構によって、前記ベースアングルを中心に一定範囲で水平に往復運動可能とするという手段を採用した。
【００１５】
また、上記ならし具は、上記平行リンク機構の先端となるベース基板の一端に、ならしプレート面が上記往復運動の方向と直交するように所定長さのならしプレートを垂下して取り付け、さらにこのならしプレートの下端縁に、上記往復運動の方向に水平に広がるようにならし環を設けたものであるという手段を採用した。
【００１６】
そして、上記ならし環は、棒材を円形で上記往復運動の方向に水平に広がるように折曲して形成したものであるという手段を採用した。
【発明の効果】
【００１７】
上述した構成の本発明に係るシュレッダの細断屑ならし装置は、クランク機構及び平行リンク機構を介してならし具を水平に往復運動させるようにしたので、ならし具に取り付けるならしプレートやならし環は円弧を描きつつもその面が平行移動するようになる。そのため、デスクサイドタイプと呼ばれる細長の筐体を有するシュレッダにおける開口部が細長の細断屑収容箱においても、細断屑は片寄ることなく細断屑収容箱内に均等に散らされならされることになる。また、平行リンク機構によって収容箱の開口面に広くならし具を移動させることが可能であるので、細断屑収容箱の隅まで細断屑を確実に行き渡らせることが出来る。
【００１８】
この場合、ならしプレートは往復運動の方向と直交するように取り付けられ、また、ならし環もその方向に広がるように設けているので、細断屑は収容箱の長手方向に確実に散らされ、収容箱内に均等にならされるのである。
【００１９】
さらに、ならし具は水平に往復運動するので、従来のスイング型のように中央部がへこんだ状態になることがなく、細断屑収容箱の容量いっぱいまで細断屑を貯留することが可能となった。
【００２０】
また、駆動モータのほか、クランク機構と平行リンク機構という比較的簡単な構成であるので、部品点数が少なく、組立が簡単であると共に、製造コストも従来品に比べてより一層安価に提供できるようになった。そして、日常の点検整備も簡単に行えるという利点がある。
【発明を実施するための最良の形態】
【００２１】
以下、本発明に係るシュレッダの細断屑ならし装置の好ましい実施形態を、添付した図面に従って説明する。図１は、細断屑ならし装置の分解斜視図である。また、図２及び図３は、デスクサイドタイプのシュレッダに取り付けた状態の透視斜視図である。
【００２２】
各図において、１は細断屑ならし装置を取り付けるための基台であって、デスクサイドタイプのシュレッダの筐体（ａ）の中段であって回転細断刃（図示せず）と細断屑収容箱（ｂ）の中間位置に架設して取り付けるものである。この基台１の中央には、その筐体（ａ）の上段に取り付ける一対の回転細断刃（図示せず）によって細断された細断屑が落下するときに通過する落下口１ａが大きく開口している。この基台１の下方には、細断屑収容箱（ｂ）が設置され、その開口部が本細断屑ならし装置のならし具が動作する領域となる。２は、上記基台１の落下口１ａに臨んで取り付けるモータベースであり、略Ｌ字状に折曲した形状を呈し、その水平面にモータ取付金具３を介して駆動モータ４を、その駆動軸４ａが垂下するように取り付ける。また、モータベース２の垂直面は図示しない回転細断刃と対向することになる。駆動モータ４の駆動軸４ａは、モータベース２に設けた透孔２ａを介してその下面に突出している。
【００２３】
５は、上記駆動モータ４の駆動軸４ａに取り付けるカム支持具で、下述するリンクアーム７に駆動モータ４の回転力を伝達するモータカム６を固定するものである。モータカム６は、例えば水平に延びる略長方形状の板材からなり、その一端を上記カム支持具５に固定すると共に、他端はリンクアーム７に回転可能に取り付ける。リンクアーム７は、同様に水平に延びる略長方形状の板材からなり、モータカム６と共にクランク機構を構成し、下述するように、上記カム支持具５及びモータカム６の回転と連動してクランク運動をするものである。
【００２４】
次に、８はベースアングルで、筐体（ａ）の適宜な支持部（図示せず）に垂下して取り付けた下面に、アーム９とロッド１０のそれぞれの一端を一定の距離を置いて平行にかつ回転自在に、水平に延びるように取り付ける。１１はならし具であって、水平のベース基板１２の一端に所定長さのならしプレート１３を垂下して取り付け、さらにこのならしプレート１３の下端縁において水平に広がるならし環１４を設けたものである。このならし具１１のベース基板１２には、上記アーム９とロッド１０のそれぞれの他端を一定の距離を置いて回転自在に取り付けることで、上記ベースアングル８、アーム９、ロッド１０、ベース基板１２で平行リンク機構が構成されている。そして、上記アーム９の中間部に上記クランク機構のリンクアーム７の他端が回転自在に取り付けられている。そのため、この平行リンク機構は、ベースアングル８が固定されているので、このベースアングル８を中心に一定範囲の水平面で円弧状に往復運動することになる。この場合、上記ならしプレート１３は、ならしプレート面が上記往復運動の方向と直交するように取り付け、このならしプレート１３の下端縁に、上記往復運動の方向に水平に広がるようにならし環１４を設けることが好ましい。
【００２５】
なお、ならし具１１の全体構成は、上記構成に限定するものではなく、例えば、ならし環１４は、図示した円形に限らず、棒材を矩形その他の任意の形状で上記往復運動の方向に水平に広がるように折曲等して設けたものであってもよい。但し、円盤や矩形板等にすると、板上に細断屑が乗ったり、水平移動時の抵抗力が大きくなり過ぎたりするので、棒材による環形状が望ましい。
【００２６】
また、１５、１５は基台１の下面に、下述するならし具１１の移動方向と対向するように垂下して設ける細断屑拡散防止アングルであって、ならし具１１を移動させたときに細断屑が収容箱から飛び散らないようにするために、必要に応じて設けるものである。
【００２７】
次に、上記構成からなる細断屑ならし装置の動作について説明する。通常、書類等の被細断物をシュレッダの投入口に投入すると、回転細断刃の駆動モータが回転し、回転細断刃によって細断が開始される。この細断の開始と連動して、本発明の細断屑ならし装置の上記駆動モータ４も回転を開始し、ならし動作が開始されることになる。
【００２８】
駆動モータ４が回転すると、カム支持具５を介してモータカム６が水平面で円運動をする。モータカム６が円運動をすると、その先端に回転自在に取り付けたリンクアーム７の取付け端も円運動をするが、リンクアーム７の他端は上記アーム９の中間部に取付けられているので、その動きが規制され、クランク運動をする。即ち、モータカム６の円運動がリンクアーム７先端の直線的な往復運動に変換されることになる。このとき、リンクアーム７は上記ベースアングル８、アーム９、ロッド１０、ベース基板１２で構成された平行リンク機構のアーム９に取付けられているので、平行リンク機構が、ベースアングル８を中心に一定範囲の水平面で円弧状に往復運動することになる。これに伴い、ベース基板１２に取り付けたならし具１１も同様に一定範囲の水平面で円弧状に往復運動する（図３参照）。
【００２９】
細断当初は、細断屑の山は出来ていないが、細断屑はならし具１１の往復運動する領域で落下してくるので、細断屑を適当に左右に散らす効果が期待できる。細断屑の量が増え、山が出来ると、ならし具１１は水平に往復運動しながらその山を崩し、細断屑を均等にならしていくことになる。この場合、ならし具１１は平行リンク機構を介して往復運動しているので、ならし具１１に取り付けたならしプレート１３の面は、円弧を描きつつも、常に同じ面を向いて平行移動することになる。これにより、細断屑は円弧状に片寄ることなく、左右に直線的にならされることになり、細断屑収容箱（ｂ）内に片寄ることなく均等にならすことができる。なお、このならし装置では細断屑の圧縮作用はほとんどない。
【００３０】
このならし作業は、図４で示すように、細断屑収容箱の上端開口部で行われるが、該部には適宜センサー（図示せず）が設置され、ならし作業が完了してもなお細断屑収容箱がいっぱいになった場合、細断屑があふれる前にその満杯を検知し、細断作業を停止させると共に、作業者に満杯の旨を報知するようにしている。
【００３１】
上述した構成、作用のならし装置によれば、ならし具１１が水平にのみ往復運動するので、従来のスイング型のように中央部が逆にへこんだ状態になることがなく、細断屑収容箱の容量いっぱいまで細断屑を貯留することが可能である。また、平行リンク機構を介してならし具を往復運動させるので、細幅の収容箱であっても、その開口面に広くならし具を移動させることが可能となり、収容箱の隅まで細断屑を行き渡らせることが出来る。
【００３２】
また、全体は比較的な簡単な構成であり、部品点数も少ないので、組立が簡単であり、且つ、製造コストも従来品に比べてより一層安価である。さらに、メンテナンスの面からも、日常の点検整備が簡単に行えるという利点がある。
【００３３】
よって、上記構成の細断屑ならし装置は、上述したように、デスクサイドタイプのシュレッダに適用することによって、細断屑の収容箱が満杯になったときに、手作業で細断屑の山をならしたり、圧縮する作業の手間を軽減することが可能であり、その作業によって細断屑を飛散させ、周辺を汚すこともなくなる。
【図面の簡単な説明】
【００３４】
【図１】本発明に係る細断屑ならし装置の分解斜視図である。
【図２】デスクサイドタイプのシュレッダに取り付けた状態の透視斜視図である。
【図３】ならし具の移動の状態を説明する透視斜視図である。
【図４】細断屑ならし装置の側面断面図である。
【符号の説明】
【００３５】
１  基台
２  モータベース
３  モータ取付金具
４  駆動モータ
５  カム支持具
６  モータカム
７  リンクアーム
８  ベースアングル
９  アーム
１０  ロッド
１１  ならし具
１２  ベース基板
１３  ならしプレート
１４  ならし環
１５  細断屑拡散防止アングル
【図１】
2010000461.tif 000003
【図２】
2010000461.tif 000004
【図３】
2010000461.tif 000005
【図４】
2010000461.tif 000006